(57)【要約】 【課題】本発明は、特に平らな食品に関して食品に冷気がまんべんなく行きわたり、目的の食品が見つけやすく、また取り出しやすく、開封した食品から汁等がこぼれにくく、また収納する食品の大きさに対応でき、厚みに合わせて収納空間を可変することができる食品収納棚を提供する。【解決手段】本発明は、底板２と食品分離板３からなる食品収納棚１で、食品分離板３を水平方向に対して所定の角度を有して所定の間隔で複数枚立設し、前記食品分離板３は一個、又は複数個の透孔４を有し、下辺５を支点に左右に回動可能であり、底板２に対して水平方向に移動可能で、収納棚に着脱可能に取り付けでき、また食品収納棚１は前方及び後方及び上方が開放されていている。また、冷蔵庫の貯蔵室８内側面に設けた棚受部９に着脱自在に取り付けできることを特徴とする。【選択図】  図1
2015038393.tif 000002
【特許請求の範囲】
【請求項１】
底板と食品分離板からなる食品収納棚において、食品分離板を水平方向に対して所定の角度を有して所定の間隔で複数枚立設した食品収納棚。
【請求項２】
前記食品分離板は、底板の長手方向に対して所定の角度を有して配列されている請求項１に記載の食品収納棚。
【請求項３】
前記食品分離板に一個、又は複数個の透孔を有する請求項１から２のいずれかに記載の食品収納棚。
【請求項４】
前記食品収納棚は前方及び後方及び上方が開放されている請求項１から３のいずれかに記載の食品収納棚。
【請求項５】
前記食品分離板は、下辺を支点に左右に回動可能である請求項１から４のいずれかに記載の食品収納棚。
【請求項６】
前記食品分離板は、底板に対して水平方向に移動可能である請求項１から５のいずれかに記載の食品収納棚。
【請求項７】
前記食品分離板は、食品収納棚に着脱可能に取り付けできる請求項１から６のいずれかに記載の食品収納棚。
【請求項８】
前記食品収納棚は、冷蔵庫の貯蔵室内側面に設けた棚受部に載置して着脱自在に取り付けできる請求項１から７のいずれかに記載の食品収納棚。
【発明の詳細な説明】
【技術分野】
【０００１】
本発明は、一般家庭等における食品収納棚に関するものであり、特に冷蔵庫等の貯蔵室内に設置する食品等を載置するための棚に関する。
【背景技術】
【０００２】
従来より、一般家庭の冷蔵庫等の貯蔵室内には、食品を載置する複数の棚を水平に架設し、平らな食品が多いときは食品を積重ねて棚板に載置していた。
【発明の概要】
【発明が解決しようとする課題】
【０００３】
しかしながら、食品を平らに積み重ねて置くと、冷蔵庫の冷気が食品の重なった部分に行きわたらず、また目的の食品が見つけにくく、下の食品を取るときは上の食品を移動させないといけないため冷蔵庫の扉を開けている時間が長くなり電気を無駄に使うことになる。また、開封した食品の口をクリップ等で閉じて立てて置くと倒れて汁等の液体がこぼれて冷蔵庫内を汚すという問題があった。
【０００４】
本発明は、上記のような課題を解決するためになされたもので、特に平らな食品に関して目的の食品が見つけやすく、また取り出しやすく、開封した食品が倒れて汁等の液体がこぼれるのを防ぎ、また収納するさまざまな大きさの食品に対応でき、食品の厚みに合わせて収納空間を可変することができる。さらに冷蔵庫に設置した場合は、食品に冷気がまんべんなく行きわたり食品の冷蔵効果を高めるとともに、冷蔵庫の節電効果が得られる食品収納棚を提供することを目的とする。
【課題を解決するための手段】
【０００５】
上記課題を解決するために、本発明の請求項１では、底板と食品分離板からなる食品収納棚において、食品分離板を水平方向に対して所定の角度を有して所定の間隔で複数枚立設したことを特徴とするものである。
【０００６】
また、請求項２の発明では、前記食品分離板は、底板の長手方向に対して所定の角度を有して配列されていることを特徴とするものである。
【０００７】
また、請求項３の発明では、前記食品分離板に一個、又は複数個の透孔を有することを特徴とするものである。
【０００８】
また、請求項４の発明では、前記食品収納棚は前方及び後方及び上方が開放されていることを特徴とするものである。
【０００９】
また、請求項５の発明では、前記食品分離板は、下辺を支点に左右に回動可能であることを特徴とするものである。
【００１０】
また、請求項６の発明では、前記食品分離板は、底板に対して水平方向に移動可能であることを特徴とするものである。
【００１１】
また、請求項７の発明では、前記食品分離板は、食品収納棚に着脱可能に取り付けできることを特徴とするものである。
【００１２】
また、請求項８の発明では、前記食品収納棚は、冷蔵庫の貯蔵室内側面に設けた棚受部に載置して着脱自在に取り付けできることを特徴とするものである。
【図面の簡単な説明】
【００１３】
【図１】本発明の実施例１を示す斜視図である。
【図２】本発明の実施例１を示す正面図である。
【図３】本発明の実施例１に食品を載置した斜視図である。
【図４】本発明の実施例２を示す正面図である。
【図５】本発明の実施例２を示す食品を載置した平面図である。
【図６】本発明の実施例３を示す正面図である。
【図７】本発明の実施例３の図６のAの拡大図である。
【図８】本発明の実施例４を示す正面図である。
【図９】本発明の実施例４の図８のa断面図である。
【図１０】本発明の実施例４の図９のBの拡大図である。
【図１１】本発明の実施例４の図９のb断面図である。
【図１２】本発明の実施例５を示す正面図である。
【図１３】本発明の実施例６を示す正面図である。
【発明を実施するための形態】
【００１４】
以下、本発明の実施形態について図面を参照して説明する。
【実施例１】
【００１５】
図１は、本発明の実施例１を示す斜視図である。食品収納棚１は、底板２と食品分離板３から構成され、食品分離板３は底板２に対して所定の角度を有する。所定の角度は１５°から９０°が好ましい。この実施例１では、底板２に対して約６０°の角度を有し食品分離板３が複数枚立設されている。
【００１６】
また、食品分離板３には複数の透孔４が設けられている。この実施例１では、食品分離板３に複数の透孔４を設けているが食品分離板３を網にしてもよい。
【００１７】
図２は、本発明の実施例１を示す正面図である。
【００１８】
図３は、本発明の実施例１に食品１１を載置した斜視図である。食品分離板３に食品１１を載置することで、厚みの薄い袋物等の食品が座屈をおこすのを防ぐ。また食品トレー内の食品の座屈も防ぐ。また開封した食品の口をクリップ等で閉じて置いても食品が倒れるのを防ぐことができるので、汁等の液体がこぼれ冷蔵庫内を汚すという問題がない。また食品を積み重ねることがないため食品が取り出しやすく、食品１１と食品分離板３の間に空間ができるため食品１１を確認しやすい。このことにより、冷蔵庫の扉を開けている時間が少なくてすみ節電効果が得られる。また食品収納棚１の前方及び後方及び上方が開放され前後及び天板の壁面を設けないことで、冷気の通気を良くし、またさまざまな大きさの食品に対応できる。また、食品分離板３と食品１１の間の隙間と食品分離板３の透孔４によって冷気が食品１１にまんべんなく行きわたり、食品１１の冷蔵効果を高めることができる。
【実施例２】
【００１９】
図４は、本発明の実施例２を示す正面図である。この実施例２では、食品分離板３は、底板２の長手方向に対して所定の角度を有して配列されている。また、食品分離板３の高さを変えている。このことにより、より食品を確認しやすくなる。
【００２０】
図５は、本発明の実施例２を示す平面図である。食品分離板３に載置した食品１１の正面がさらに見やすくなり食品１１を確認しやすい。
【実施例３】
【００２１】
図６は、本発明の実施例３を示す正面図である。この実施例３では、食品分離板３は、下辺５を支点に左右に回動可能とすることでさらに食品を確認しやすく取り出しやすい。また食品分離板３は底板２に着脱可能としている。食品分離板３を着脱可能とすることで、収納空間を可変し、さまざまな大きさの食品に対応できる。
【００２２】
図７は、図６のＡの拡大図である。この実施例３では、溝レール７と食品分離板３の下辺５を円弧状にし、食品分離板３を左右に回動可能としている。また食品分離板３の下辺５を溝レール７に底板２の前方より挿入させて着脱する。また食品分離板３の下辺部に突起６を設けて食品分離板３の角度を保持している。
【実施例４】
【００２３】
図８は、本発明の実施例４を示す正面図である。この実施例４では、食品分離板３を底板２に対して水平方向に任意のところにスライドさせて移動可能としている。このことにより、食品分離板３の間隔を必要に応じて変更でき、さまざまな食品の厚みに対応でき、また食品の厚みが薄く座屈をおこしやすい食品は食品分離板３をスライドさせて食品を挟むようにし座屈を防ぐことができる。
【００２４】
図９は、本発明の実施例４を示す図８のa断面図である。底板２の左右に溝レール７を設け、食品分離板３の下辺の左右に設けた駒１３をはめ込んで食品分離板３をスライドさせて任意のところに移動可能としている。
【００２５】
図１０は、本発明の実施例４を示す図９のＢ拡大図である。
【００２６】
図１１は、本発明の実施例４を示す図９のb断面図である。食品分離板３の下辺左右に駒１３を設け溝レール７に挿入し、溝レール７を駒１３が水平移動することで食品分離板３の間隔を変更できる。また、食品分離板３の下辺部に突起６を設けて食品分離板３の角度を保持している。この実施例では駒１３の断面を多角形としているが円形としてもよい。
【実施例５】
【００２７】
図１２は、本発明の実施例５を示す正面図である。食品収納棚１を冷蔵庫の貯蔵室８内側面に設けた棚受部９に上向きに着脱自在に載置して取り付けている。
【実施例６】
【００２８】
図１３は、本発明の実施例６を示す正面図である。食品収納棚１を冷蔵庫の貯蔵室８内側面に設けた棚受部９に下向きに着脱自在に載置して取り付けている。食品１１は食品分離板３と食品分離板３の間に貯蔵室棚１０bに立てて載置することで倒れない。また厚みが薄く座屈をおこしやすい食品１１は、食品分離板３を水平移動して食品１１を挟んで保持する。また、貯蔵室棚１０b上面に、食品分離板３と水平方向に複数の凹凸部の溝を設けることで食品１１がずれず安定して載置することができる。また、貯蔵室棚の上面を凹凸のないフラットにすれば汚れても清掃しやすく清潔を保つことができる。また食品分離板３を移動することで、必要に応じて収納空間を可変し、さまざまな形大きさの食品の保管が可能である。
【符号の説明】
【００２９】
１    食品収納棚
２    底板
３    食品分離板
４    透孔
５    下辺
６    突起
７    溝レール
８    貯蔵室
９    棚受部
１０a   貯蔵室棚
１０b   凹凸を設けた貯蔵室棚
１１    食品
１２    凹凸部
１３    駒
【図１】
2015038393.tif 000003
【図２】
2015038393.tif 000004
【図３】
2015038393.tif 000005
【図４】
2015038393.tif 000006
【図５】
2015038393.tif 000007
【図６】
2015038393.tif 000008
【図７】
2015038393.tif 000009
【図８】
2015038393.tif 000010
【図９】
2015038393.tif 000011
【図１０】
2015038393.tif 000012
【図１１】
2015038393.tif 000013
【図１２】
2015038393.tif 000014
【図１３】
2015038393.tif 000015
【手続補正書】
【提出日】平成25年4月25日(2013.4.25)
【手続補正１】
【補正対象書類名】明細書
【補正対象項目名】０００５
【補正方法】変更
【補正の内容】
【０００５】
上記課題を解決するために、本発明の請求項１では、底板と食品分離板からなる食品収納棚において、食品分離板を水平方向に対して所定の角度を有して所定の間隔で複数枚立設し、前記食品分離板は、底板の長手方向に対して所定の角度を有して配列され、前記食品分離板に一個、又は複数個の透孔を有し、前記分離板の下部に水平方向に対して角度を保持する保持部が設けられていることを特徴とするものである。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また、請求項２の発明では、前記食品収納棚は前方及び後方及び上方が開放されていることを特徴とするものである。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
また、請求項３の発明では、前記食品分離板は、底板に対して水平方向に移動可能であることを特徴とするものである。
【手続補正７】
【補正対象書類名】明細書
【補正対象項目名】００１１
【補正方法】変更
【補正の内容】
【００１１】
また、請求項４の発明では、前記食品分離板は、食品収納棚に着脱可能に取り付けできることを特徴とするものである。
【手続補正８】
【補正対象書類名】明細書
【補正対象項目名】００１２
【補正方法】変更
【補正の内容】
【００１２】
また、請求項５の発明では、前記食品収納棚は、冷蔵庫の貯蔵室内側面に設けた棚受部に載置して着脱自在に取り付けできることを特徴とするものである。
【手続補正９】
【補正対象書類名】特許請求の範囲
【補正対象項目名】全文
【補正方法】変更
【補正の内容】
【特許請求の範囲】
【請求項１】
底板と食品分離板からなる食品収納棚において、食品分離板を水平方向に対して所定の角度を有して所定の間隔で複数枚立設し、前記食品分離板は、底板の長手方向に対して所定の角度を有して配列され、前記食品分離板に一個、又は複数個の透孔を有し、前記分離板の下部に水平方向に対して角度を保持する保持部が設けられている食品収納棚。
【請求項２】
前記食品収納棚は、前方及び後方及び上方が開放されている請求項１に記載の食品収納棚。
【請求項３】
前記食品分離板は、底板に対して水平方向に移動可能である請求項１から２のいずれかに記載の食品収納棚。
【請求項４】
前記食品分離板は、食品収納棚に着脱可能に取り付けできる請求項１から３のいずれかに記載の食品収納棚。
【請求項５】
前記食品収納棚は、冷蔵庫の貯蔵室内側面に設けた棚受部に載置して着脱自在に取り付けできる請求項１から４のいずれかに記載の食品収納棚。